(57)【要約】【課題】  無鳴動着信時の省エネを行う。Ｓｌｅｅｐ時  無鳴動着信モードでの電話機オフフック検知回路の省エネを行う。又、上記と同時にフォトインタラプタを削除し、コストダウンをはかる。【解決手段】  フック検知回路に、機器内の電流ではなく、回線電流を用いて整流回路につなぐ回路を設けた。それによりフォトインタラプタを削除した。  無鳴動着信モードで装置がＳＬＥＥＰ時にモデムから半導体ＮＣＵ（ＳＤＡＡ）への電源を断った時に、自動的に整流回路を電話機とオフフック検知回路側に接続する回路を設けた。又、鳴動時は，経路を変えて別のフック検知回路でフック検知を行う構成とした。それにより、省エネとコストダウンを行った。【選択図】  図１
2011103516.tif 000002
【特許請求の範囲】
【請求項１】
電話回線信号１３０に接続される回線給電の為の整流回路１０１と
整流回路１０１を電話機１１０に接続するＯＮ／ＯＦＦ回路１０２と
電話機のフック検知回路１０３と
半導体ＮＣＵ（ＳＤＡＡ１０４）と
半導体ＮＣＵ（ＳＤＡＡ１０４）に電源を供給するモデム１０５と
モデム１０５の制御およびフック検知回路１０３からの信号検知を行う中央制御部１０６と
により構成されるファクシミリシステムで、
モデム１０５からの半導体ＮＣＵ（ＳＤＡＡ１０４）に対する電源が断たれた時に、
整流回路１０１からの電流により
整流回路１０１を電話機１１０に接続するＯＮ／ＯＦＦ回路１０２が、
自動的に整流回路１０１を電話機１１０とフック検知回路１０３側に接続する
電話機１１０のフック検知システム。
【請求項２】
上述請求項１のフック検知システムで、
上述フック検知回路１０３とは別のフック検知回路１０７を有し、
電話回線信号１３０を整流器１０１を介さずに電話機１１０側に接続可能で、
電話回線信号１３０の電流を分流する分流回路１０８を有し、
整流器１０１を介さない場合は、分流回路１０８により電話回線信号１３０からの電流を分流し、
分流された残りの電流によりフック検知回路１０７による電話機のフック検知を行う
電話機のフック検知システム。
【発明の詳細な説明】
【技術分野】
【０００１】
本発明は、ファクシミリ装置に関し、ファクシミリ装置に接続された電話機のフック検知回路の構成に関する。
【背景技術】
【０００２】
従来のファクシミリ装置には、回線からの呼び出し信号により電話機を鳴動させず（以下無鳴動着信モード）、その電話機のオフフック検知を、回線の電流を使って行うものが存在した。
【０００３】
例えば、特許文献１のファクシミリ装置である。
【０００４】
このような無鳴動着信モードは、相手発呼側がファクシミリ装置か電話機か不明の場合に、ファクシミリと電話機を切り替える、いわゆるＦＡＸ／ＴＥＬモードにおいて使用された。
【０００５】
すなわち、相手側からの呼び出し信号着信時に、電話機を鳴動させず、一旦ファクシミリ装置が回線を直流捕捉した後に、相手ＣＮＧを検出してファクシミリ受信開始する。逆に相手ＣＮＧがない場合には、擬似ＣＩ信号により自機電話機を鳴動させるモードとして使用された。
【０００６】
一方、近年装置の省エネ化が盛んに叫ばれた。そのため、市場からの要望で省エネを目的としたＳＬＥＥＰモードを搭載するファクシミリ装置が多く世に出回った。このＳＬＥＥＰモードを搭載したファクシミリ装置の場合、電話機のフック検知回路の省エネ化が必要な技術となっていた。
【０００７】
他方では、ファクシミリ装置のコストを下げ、市場に安価な装置を供給するという事も必要であった。そのため、このフック検知回路の低コスト化も必要となっていた。
【先行技術文献】
【特許文献】
【０００８】
【特許文献１】特開２００４−３４３４５５号公報
【発明の概要】
【発明が解決しようとする課題】
【０００９】
しかしながら、従来の技術においては、無鳴動着信時におけるファクシミリ装置の省エネという観点で、十分な配慮がなされているとは言えなかった。
【００１０】
本発明は、無鳴動着信時の省エネを達成する事が第一の目的である。
【００１１】
装置が省エネモード時（以下ＳＬＥＥＰ時）、無鳴動着信モードでの電話機オフフック検知回路の省エネを行う．それと同時に、低コスト設計にて市場に安価な装置を供給する。
【課題を解決するための手段】
【００１２】
本発明は、請求項１の構成にて上述第一の目的を達成する。
【００１３】
すなわち、電話回線信号１３０に接続される回線給電の為の整流回路１０１と整流回路１０１を電話機１１０に接続するＯＮ／ＯＦＦ回路１０２と電話機のフック検知回路１０３と半導体ＮＣＵすなわちＳＤＡＡ１０４と半導体ＮＣＵすなわちＳＤＡＡ１０４に電源を供給するモデム１０５とモデム１０５の制御およびフック検知回路１０３からの信号検知を行う中央制御部１０６とにより構成されるファクシミリシステムで、モデム１０５からの半導体ＮＣＵすなわちＳＤＡＡ１０４に対する電源が断たれた時に、整流回路１０１からの電流により、ＯＮ／ＯＦＦ回路１０２が、整流回路１０１を電話機１１０に接続する。すなわち、自動的に整流回路１０１を電話機１１０とフック検知回路１０３側に接続する電話機１１０のフック検知システムを構築する。
【００１４】
ＳＬＥＥＰ時ＳＤＡＡ１０４に対する電源が断たれた時にＯＮ／ＯＦＦ回路１０２が、自動的に整流回路１０１を電話機１１０とフック検知回路１０３側に接続する事により、ＳＬＥＥＰ時の電話機のオフフック検知回路の省エネを達成している。
【発明の効果】
【００１５】
本発明では、請求項１の構成にて、Ｓｌｅｅｐ時の省エネを達成した。回線電流からの電流で自動的に接続されるＯＮ／ＯＦＦ回路１０２を設ける事により、ＳＬＥＥＰ時にＳＤＡＡ１０４への電流が断たれた場合に、オフフック検知回路１０３側への電流が自動的に供給され、従来の先行技術よりも省エネに適した構成となった。
【００１６】
又、請求項２の構成により、従来に比べ、フック検知回路の低コスト化を達成した。
【００１７】
すなわち、フォトカプラだけの低コストのフック検知システムを構築した。
【図面の簡単な説明】
【００１８】
【図１】本発明ファクシミリ装置の主要ブロック構成図である。
【図２】図１の構成を持つ本発明ファクシミリ装置の動作フローチャートである。
【図３】図１のファクシミリ装置の、ＳＬＥＥＰ時の動作フローチャートである。
【図４】図１のファクシミリ装置の、ＳＬＥＥＰ解除処理の動作フローチャートである。
【図５】図１のファクシミリ装置の図３のＣから続く動作フローチャートである。
【図６】図１のファクシミリ装置の図５のノードＦから続く動作フローチャートである。
【図７】図１のファクシミリ装置の図２のノードＤから進む動作フローチャートである。
【発明を実施するための形態】
【００１９】
以下、本発明を実施するための最良の形態について図面を用いて説明する。
【実施例１】
【００２０】
実施例１は、請求項１の実施例である。
【００２１】
図１の構成にて、図２〜７の動作フローチャートで動作する。
【００２２】
図１は、本発明ファクシミリ装置の主要ブロック構成図である。図中１０１は、回線給電用整流回路である。回線の電流を使い各種回路を動作させる為に整流を行う回路である。
【００２３】
１０２は、ＯＮ／ＯＦＦ回路である。整流された回線からの電流を下流側へ伝達するかあるいは切り離すかを制御する為の回路である。
【００２４】
１０３は、１０２がＯＮしている状態で、１０１経由で駆動電流をもらい電話機のフック状態を検知するフック検知回路２である。フォトカプラで構成されるものである。１０４は、半導体ＮＣＵ ＳＤＡＡである。１０５は、モデムである。１０６は、装置全体を制御する中央制御部である。１０７は、１０９で、ＰＳＴＮが接続された場合に電話機１１０のフック検知を行うフック検知回路１である。フォトカプラで構成されるものである。１０８は、ＰＳＴＮが１０７に接続された際に１０７に過大電流が流れないように保護するための分流回路である。１０９は、ＰＳＴＮ１１１を直接電話機１１０に接続するか、もしくは１０１、１０２を介して接続するかを制御するリレーで構成されたＰＳＴＮ／回線給電切替え回路である。１１０は、電話機である。１１１は、公衆回線網ＰＳＴＮである。１１２は、ＰＳＴＮ１１１からの呼び出し信号を検知する、ＣＩ検知回路である。１１３は、電話回線側回路と１２５とコントローラ側の回路であるＳＥＬＶ側回路１２４の絶縁を取る為のトランス、高耐圧コンデンサなどの絶縁素子である。１１４は、ユーザーに装置の状態を表示し、ユーザーからの装置に対する指示を受けつける操作パネルである。１１５は、１１４内の表示器である。１１６は、１１４内の操作キー１１６である。１１７は、原稿を読み取る為の読み取り部である。１１８は、画像を記録する為の記録部である。１１９は、電源１２１の中のＳＥＬＶ側回路である。１２０は、電源１２１の中の１次側回路である。１２１は、電源である。１２２は、擬似ＣＩ回路である。１２３は、例えば、日本国内の場合は、１００Ｖの交流信号である商用電源である。１２４は、装置のコントローラ側である、ＳＥＬＶ側回路である。
【００２５】
１２５は、電話回線側回路である。１２６は、本発明のファクシミリ装置である。１２７は、１２４と１２５の分解点を示す破線である。破線を境に絶縁を取る必要があることを示す線である。１３０は、ＰＳＴＮに接続される電話回線信号である。１３１は、１０９と１０８及び１０７間の信号である。１３２は、１０７及び１０８の下流側の１３１からの信号である。１３３は、ＳＤＡＡ１０４からの信号線であり、１０４からの電流により１０２をＯＦＦする信号線である。１３４は、１０２から下流の１０３への信号線である。１３５は、回線からの電流を１０１で整流し、そこからの電流を１０２を介して、下流の１０３へ供給する信号線である。１３６は、１０１からの電流で１０２をオンするための１０２の駆動電流を伝達する信号線である。１３７は、１１３を介して１０５と接続されるデータ，及び１０５から供給されるクロックと交流電源を示す信号線である。１３８は、上記１１３とモデム１０５の間の信号線である。１３９は、１０５と１０６間の制御及びデータ信号である。１４０は、１０６から１０９を制御する信号線である。１４１は、１０７からのフック検知信号である。１４２は、１０３からのフック検知信号である。１４３は、１０６からの制御信号であり、１２２を駆動して，擬似ＣＩ信号を電話機１１０に送出する信号である。１４４は、１０９からの回線電流を１０１へ伝達する信号である。１４７は、１１２からのＣＩ検知信号である。１４８は、１１６からの操作キー検知信号である。１４９は、１０６からの表示信号である。
【００２６】
１５０は、１１７を制御する信号と，１１７からの画像信号を含むインターフェース信号である。
【００２７】
１５１は、１１８を制御する信号と，１１８への画像信号を含むインターフェース信号である。
【００２８】
１５２は、１２１から供給される電源である。１５３は、１２３から供給される商用電源線である。
【００２９】
１５４は、１５５と１０６のインターフェース信号である。１５５は、装置の動作を決定するＲＯＭや画像を蓄積するＲＡＭを含むメモリ類である。
【００３０】
図２は、図１の構成を持つ本発明ファクシミリ装置の動作フローチャートである。Ｓ２０１は、装置がスタンバイ状態である事を示すステップである。Ｓ２０２は、回線給電でのフック検知をスタートするステップである。Ｓ２０３は、装置がＦＡＸ／ＴＥＬ切替えモードか否かを判断するステップである。Ｓ２０４は、Ｓ２０３でＦＡＸ／ＴＥＬモードでないと判断された場合に、別の処理へと進むステップである。Ｓ２０５は、ＦＡＸ／ＴＥＬモードで鳴動着信モードが設定されていた場合に進むステップである。Ｓ２０６は、装置が無鳴動着信モードに設定されているかどうかを判断するステップである。Ｓ２０７は、リレーで構成されたＰＳＴＮ／回線給電切替え回路１０９で、電話回線信号１３０を、分流回路１０８側に接続するステップである。
【００３１】
Ｓ２０８は、電話機１１０のフック検知回路１である１０７でのフック検知を開始するステップである。Ｓ２０９は、Ｓ２０８から次の処理へ移行するステップである。Ｓ２１０は、リレーで構成されたＰＳＴＮ／回線給電切替え回路１０９で、電話回線信号１３０を、回線給電用整流回路１０１に接続するステップである。Ｓ２１１は、ＳＤＡＡ １０４からのＯＮ／ＯＦＦ回路１０２への出力信号１３３において、ＯＮ／ＯＦＦ回路１０２をＯＦＦする出力を出力しない事を示すステップである。Ｓ２１２は、ＯＮ／ＯＦＦ回路１０２が、信号１３６にて、回線給電用整流回路１０１からの電流で動作し、ＯＮ状態となるステップであるここで回線給電用整流回路１０１とフック検知回路２である１０３を、信号１３５と信号１３４にて接続する。Ｓ２１３は、フック検知回路２である１０３で、フック検知開始するステップである。Ｓ２１４は、フック検知タイミングであるか否かを判断するステップである。Ｓ２１５は、ＳＬＥＥＰモードへ移行するかどうかを判断するステップである。
【００３２】
Ｓ２１６は、Ｓ２１４でフック検知タイミングと判断された場合に、フック検知回路２である１０３で、フック検知するステップである。Ｓ２１７は、電話機１１０がオフフック状態であるかどうかを判断するステップである。Ｓ２１８は、Ｓ２１５でＳＬＥＥＰ移行と判断され、ＳＬＥＥＰモード移行へと推移するステップである。Ｓ２１９は、Ｓ２１７でＹＥＳと判断され、オフフック処理へ移行するステップである。Ｓ２２０は、リレーで構成されたＰＳＴＮ／回線給電切替え回路１０９で、電話回線信号１３０を、分流回路１０８側に接続するステップである。Ｓ２２１は、フック検知回路１である１０７のフック検知を開始するステップである。Ｓ２２２は、次処理へと続くステップである。Ｓ２２３は、Ｓ２１５でＳＬＥＥＰ移行へ行かないと判断された場合にＣＩ検知したかどうかを判断するステップである。Ｓ２２４は、Ｓ２２３で、ＣＩ検知されたと判断された場合に、ＣＩ着信処理へと続くステップである。Ｓ２２５は、Ｓ２２３でＮＯと判断された場合に、ダイヤルパルス発呼処理か否かを判断するステップである。Ｓ２２６は、Ｓ２２５で、ＹＥＳと判断された場合に、ダイヤルパルス発呼処理へと続くステップである。Ｓ２２７は、Ｓ２２５で、Ｎｏと判断された場合に、次へと進むステップである。Ａは、Ｓ２２７からＳ２１４へと続くステップである。Ｂは、Ｓ２１８から続くステップである。Ｃは、Ｓ２２４から続くステップである。Ｄは、Ｓ２２６から続くステップである。
【００３３】
図３は、図１の構成を持つ本発明ファクシミリ装置の動作フローチャートである。特に、ＳＬＥＥＰ時の動作に関して説明するものである。Ｓ３０１は、ＦＡＸ／ＴＥＬ無鳴動着信モードのＳＬＥＥＰモードが開始されるステップである。Ｓ３０２は、モデム１０５、ＳＤＡＡ１０４への電源断のステップである。Ｓ３０３は、ＯＮ／ＯＦＦ回路１０２が、回線電流にてＯＮ状態となる事を示すステップである。Ｓ３０４は、電話機１１０のオフフック検知開始のステップである。
【００３４】
Ｓ３０５は、電話機１１０がオフフックであるか否かを検知するステップである。Ｓ３０６は、Ｓ３０５で、電話機１１０がオフフックと判断され、ＳＬＥＥＰを解除するステップである。Ｓ３０７は、Ｓ３０５で、ＮＯと判断された後に、ＣＩ検知回路１１２にて、ＣＩ着信が在るかどうかを検知するステップである。Ｓ３０８は、Ｓ３０７でＹＥＳと判断され、ＳＬＥＥＰ解除されるステップである。Ｓ３０９は、Ｓ３０８から続くステップで、ＣＩ着信処理へと続くステップである。
【００３５】
Ｓ３１０は、Ｓ３０６から続くステップで、電話回線１３０を電話機１１０側へ接続するステップである。Ｓ３１１は、Ｓ３１０から続くステップで、次処理へと続くステップである。Ｓ３１２は、Ｓ３０７で、ＮＯと判断された場合に進むステップであり、その他のＳＬＥＥＰ解除要因があるかどうかを判断するステップである。Ｓ３１３は、Ｓ３１２で、ＹＥＳと判断され、ＳＬＥＥＰ解除へと移行するステップである。Ｓ３１４は、Ｓ３１３で、ＳＬＥＥＰ解除された後に進むステップである。Ｅは、Ｓ３１２でＮＯと判断され、その後にＳ３０５へと進むステップである。Ｃは、Ｓ３０９から続くステップである。
【００３６】
図４は、図１の構成を持つ本発明ファクシミリ装置の動作フローチャートである。特にＳＬＥＥＰ解除処理に関して説明する図である。Ｓ４０１は、ＳＬＥＥＰ解除処理を実行するステップである事を示す。Ｓ４０２は、モデム１０５への電源を供給するステップである。Ｓ４０３は、モデム１０５からＳＤＡＡ１０４への電源供給を示すステップである。Ｓ４０４は、ＳＤＡＡ１０４からのＯＮ／ＯＦＦ回路１０２への出力信号である、ＯＦＦを目的とした信号１３３を出力せず、ＯＮ／ＯＦＦ回路１０２が、ＯＦＦしないことを示すステップである。Ｓ４０５は、ＯＮ／ＯＦＦ回路１０２は、回線電流でＯＮ状態のままである事を示すステップである。Ｓ４０６は、次処理へと続くステップである。
【００３７】
図５は、図１の構成を持つ本発明ファクシミリ装置の動作フローチャートである。図３のＣから続くステップである。Ｓ５０１は、ＦＡＸ／ＴＥＬ無鳴動着信モードのＣＩ検知処理を開始するステップである。Ｓ５０２は、ＯＧＭすなわち“ただいま電話を呼び出しております。しばらくお待ちください。”等の記憶された音声を、回線上に出すステップである。Ｆは、図６へと続くステップである。Ｓ５０３は、擬似ＣＩ回路１２２から送出される擬似ＣＩ信号の送出処理を開始するステップである。Ｓ５０４は、別処理を行うステップである。Ｓ５０６は、擬似ＣＩ送出タイミングであるか否かを示すステップである。擬似ＣＩは、例えば７５Ｖｒｍｓの１６Ｈｚの交流信号を、１秒間出力、２秒間休止というようなケーデンスで繰り返す。この１秒間の送出タイミングであるか否かを判断するステップである。Ｓ５０７は、ＳＤＡＡ回路１０４の出力１３３で、ＯＮ／ＯＦＦ回路１０２をＯＦＦするステップである。Ｓ５０８は、擬似ＣＩ回路１２２からの擬似ＣＩ信号を送出するステップである。Ｓ５０９は、Ｓ５１０でＮＯと判断された場合に、別の処理を行うステップである。Ｓ５１０は、擬似ＣＩ休止タイミングであるか否かを判断する。擬似ＣＩは、例えば７５Ｖｒｍｓの１６Ｈｚの交流信号を、１秒間出力、２秒間休止というようなケーデンスで繰り返す。この２秒間の休止タイミングであるか否かを判断するステップである。Ｓ５１１は、擬似ＣＩ回路１２２からの擬似ＣＩ信号送出をストップさせるステップである。Ｓ５１２は、ＳＤＡＡ１０４の出力信号１３３で、ＯＮ／ＯＦＦ回路をＯＦＦする信号の出力を行わないステップである。Ｓ５１３は、擬似ＣＩ送出処理の終了を示すステップである。Ｓ５１４は、擬似ＣＩ信号送出後、受信設定であるか否かを判断するステップである。Ｓ５１５は、Ｓ５１４で、受信設定と判断された場合に、受信開始を行うステップである。Ｓ５１６は、Ｓ５１５の次の処理に移行するステップである。Ｓ５１７は、Ｓ５１４で、擬似ＣＩ送出後に終了設定されていると判断された場合に、回線断し、終了するステップである。Ｓ５１８は、次処理へと移行するステップである。
【００３８】
図６は、図１の構成を持つ本発明ファクシミリ装置の動作フローチャートである。図５のノードＦから続くステップである。Ｓ６０１は、電話機１１０がオフフックか否かを検知するステップである。Ｓ６０２は、Ｓ６０１でＹＥＳと判断され、回線１３０を電話機１１０側へ接続するステップである。Ｓ６０３は、次処理へと続くステップである。Ｓ６０４は、Ｓ６０１でＮＯと判断され、相手ファクシミリ装置からのＣＮＧ信号を検知したかどうかを判断するステップである。Ｓ６０５は、Ｓ６０４でＮＯと判断された場合に、キー１１６による受信スタート動作指示があったかどうかを判断するステップである。Ｓ６０６は、Ｓ６０８で、ＹＥＳと判断された場合に、回線切断処理へと移行するステップである。Ｓ６０７は、次処理へと移行するステップである。Ｓ６０８は、Ｓ６０５でＮＯと判断された場合に、キー１１６による回線切断指示があるかどうかを判断するステップである。Ｓ６０９は、終了のステップである。Ｓ６１０は、ファクシミリ受信を開始するステップである。Ｓ６１１は、次処理へと続くステップである。
【００３９】
図７は、図１の構成を持つ本発明ファクシミリ装置の動作フローチャートである。図２のノードＤから進むステップである。Ｓ７０１は、ダイヤルパルス送出タイミングか否かを判断するステップである。Ｓ７０２は、Ｓ７０１でＮＯと判断された場合に、別の処理へと移行するステップである。Ｓ７０３は、ＳＤＡＡ１０４からの信号出力１３３で、ＯＮ／ＯＦＦ回路１０２をＯＦＦするステップである。Ｓ７０４は、相手電話番号の選択信号である、ダイヤルパルス信号を送出するステップである。ＳＤＡＡ１０４にて回線の開放と直流補足を短期間に繰り返す事により、ダイヤルパルス信号を作り出すステップである。Ｓ７０５は、次処理へと続くステップである。Ｓ７０６は、ダイヤルパルス送出終了か否かを判断するステップである。Ｓ７０７は、次処理へと続くステップである。
【００４０】
以下請求項１の発明を、図１の構成を元に、図２〜７のフローチャートにしたがって説明する。
【００４１】
請求項１のファクシミリシステムでは、整流回路１０１、ＯＮ／ＯＦＦ回路１０２、電話機のフック検知回路１０３、半導体ＮＣＵすなわちＳＤＡＡ１０４、モデム１０５と中央制御部１０６とにより構成される。
【００４２】
スタンバイ状態（Ｓ２０１）である時に回線給電のフック検知をスタートさせる（Ｓ２０２）。
【００４３】
ＦＡＸ／ＴＥＬ切替えモード（Ｓ２０３）であり無鳴動着信モード（Ｓ２０６）であると判断された場合、リレーで構成されたＰＳＴＮ／回線給電切替え回路（１０９）で、電話回線信号（１３０）を、回線給電用整流回路（１０１）に接続する（Ｓ２１０）。
【００４４】
ＳＤＡＡ１０４からのＯＮ／ＯＦＦ回路１０２への出力信号１３３を、ＯＮ／ＯＦＦ回路１０２をＯＦＦする出力を出力しない（Ｓ２１１）。それにより、ＯＮ／ＯＦＦ回路１０２が、信号１３６にて、回線給電用整流回路１０１からの電流で動作し、ＯＮ状態となる。回線給電用整流回路１０１とフック検知回路２である１０３を、信号１３５と信号１３４にて接続する（Ｓ２１２）。それにより、Ｓ２１４でフック検知タイミングと判断された場合に、フック検知回路２である１０３で、フック検知する。（Ｓ２１６）
ここで、ファクシミリ装置がＳＬＥＥＰモードへ移行する場合、Ｓ２１５でＳＬＥＥＰ移行か否かを判断する。ＳＬＥＥＰ移行の場合には、ノードＢからＳ３０１以降のステップに進む。Ｓ３０２で、モデム１０５、ＳＤＡＡ１０４への電源断を行う。モデム１０５からの半導体ＮＣＵすなわちＳＤＡＡ１０４に対する電源が断たれた時に、整流回路１０１からの電流により、整流回路１０１を電話機１１０に接続するＯＮ／ＯＦＦ回路１０２が、回線電流にてＯＮ状態となる。（Ｓ３０３）それにより、自動的に整流回路１０１を電話機１１０とフック検知回路１０３に接続して、電話機のオフフック検知を開始する。（Ｓ３０４）
ここで、電話機１１０がオフフック状態になったときには、Ｓ３０６でＳＬＥＥＰ状態が解除される。ＣＩ着信が検知された場合には、Ｓ３０７からＳ３０８へ移行して、ＳＬＥＥＰ状態が解除される。ＳＬＥＥＰ解除は、Ｓ４０１以降に詳細動作フローチャートが記載されている。
【００４５】
すなわち、Ｓ４０３では、モデム１０５からＳＤＡＡ１０４への電源供給を行う。Ｓ４０４では、ＳＤＡＡ１０４からのＯＮ／ＯＦＦ回路１０２への出力信号である、ＯＦＦを目的とした信号１３３を出力せず、ＯＮ／ＯＦＦ回路１０２が、ＯＦＦしない。Ｓ４０５では、ＯＮ／ＯＦＦ回路１０２は、回線電流でＯＮ状態のままである。このように、ＳＬＥＥＰ解除した状態でも、ＯＮ／ＯＦＦ回路１０２は、ＯＮしている。
【００４６】
ＣＩ着信時のＳ３０９以降のノードＣでは、Ｓ５０１、Ｓ５０２を通過して、無鳴動着信動作が行われる。ここで、Ｓ５０８の擬似ＣＩ送出開始のタイミングの前にＳＤＡＡ回路１０４の出力１３３で、ＯＮ／ＯＦＦ回路１０２をＯＦＦするステップＳ５０７を実行する。このＯＦＦ機能は、擬似ＣＩ信号が、整流回路を通って、電話回線に逆流するのを防ぐ為に必要である。また、フック検知誤動作に影響があるため、ＯＦＦしている間は、フック検知信号を見ないように構成されている。ノードＣ以降のノードＦでは、Ｓ６０１で電話機のフック検知、Ｓ６０４でＣＮＧ検知、Ｓ６０５でキーによる受信スタート動作、Ｓ６０８で、キーによる回線切断指示検知を行っている。
【００４７】
一方、ダイヤルパルス発呼時には、Ｓ２２５，Ｓ２２６のステップを通過して、ノードＤ以降のＳ７０３で、ＳＤＡＡ１０４からの信号出力１３３で、ＯＮ／ＯＦＦ回路１０２をＯＦＦする。ダイヤルパルスの過渡応答、ダイヤルパルスのオンフック状態時のインピーダンス、フック検知誤動作に影響があるため、このようにＯＦＦするものである。
【実施例２】
【００４８】
実施例２は、請求項２の実施例である。
【００４９】
以下請求項２の発明を、図１の構成を元に、図２〜７のフローチャートにしたがって説明する。
【００５０】
上述従来例では、回線からの呼び出し信号により外付け電話機が鳴動する、いわゆる鳴動着信と無鳴動着信が選択可能である場合の低コスト設計に関しても十分な配慮がなされているとは言えなかった。
【００５１】
本発明では、鳴動着信と無鳴動着信が選択可能である場合も考慮して、低コスト設計を目指す。上述第一の目的を達成すると同時に、フォトカプラを使用することにより、装置の低コスト化を行い、ユーザーへの安価な装置の提供を実現する事が第二の目的である。
【００５２】
請求項２の構成では、上述第二の目的を達成する。
【００５３】
回線が直接電話機につながれた場合、電話機をオフフックすると、電話回線から電話機側に最大１２０ｍＡ程度の電流が流れる。そのため、過大電流により、オフフック検知回路が壊れないようにする工夫が必要である。電流制限回路を、リレーにより接続する事も考えられる。しかし、本発明では、分流回路１０８により電話回線信号１３０からの電流を分流し、分流された残りの電流により電話機のフック検知を行うフック検知回路１０７を、フック検知回路１０３とは別に設ける事。それにより、フォトカプラだけの低コストのフック検知システムを構築する。
【００５４】
請求項２の発明では、上述請求項１のフック検知システムで、上述フック検知回路１０３とは別のフック検知回路１０７を有し、電話回線信号１３０を整流器１０１を介さずに電話機１１０側に接続可能となっている。Ｓ２０６で、無鳴動着信か否かを判断し、鳴動着信である場合には、Ｓ２０７で電話回線信号１３０を、電流を分流する分流回路１０８に接続し、整流器１０１を介さずに、分流回路１０８により電話回線信号１３０からの電流を分流し、分流された残りの電流によりフック検知回路１０７による電話機のフック検知を行う。（Ｓ２０８）
【符号の説明】
【００５５】
１０１  回線給電用整流回路である。
【００５６】
１０２  ＯＮ／ＯＦＦ回路である。
【００５７】
１０３  フック検知回路３である。
【００５８】
１０４  半導体ＮＣＵ ＳＤＡＡである。
【００５９】
１０５  モデムである。
【００６０】
１０７  フック検知回路１である。
【図１】
2011103516.tif 000003
【図２】
2011103516.tif 000004
【図３】
2011103516.tif 000005
【図４】
2011103516.tif 000006
【図５】
2011103516.tif 000007
【図６】
2011103516.tif 000008
【図７】
2011103516.tif 000009